(57)【要約】【課題】作業者が手作業によりボタンをボタン保持装置に供給する場合に、ボタンを挟持部が挟持する位置に容易に位置させることができるボタン保持装置を実現する。【解決手段】開閉用エアシリンダ６８に連結されて開閉移動されるボタン保持アーム２５Ｌ、２５Ｒと、そのボタン保持アーム２５Ｌ、２５Ｒの先端にそれぞれ設けられてボタン保持アーム２５Ｌ、２５Ｒの開閉移動に連動してボタンを挟持する挟持位置と挟持位置よりも開いた待機位置とに開閉移動されるボタン保持部材２６Ｌ、２６Ｒと、を備え、ボタン保持部材２６Ｌ、２６Ｒが待機位置から挟持位置に移動する際に、両ボタン保持部材２６Ｌ，２６Ｒの間に配置されたボタンを挟持するボタン付けミシン１００のボタン保持装置１０において、待機位置を挟持位置方向に調整する開き量調整装置１を備える構成にした。【選択図】図２
2006068303.tif 000002
【特許請求の範囲】
【請求項１】
駆動手段に連結されて開閉移動される一対のアーム部と、前記一対のアーム部の先端にそれぞれ設けられて前記アーム部の開閉移動に連動してボタンを挟持する挟持位置と前記挟持位置よりも開いた待機位置とに開閉移動される一対の挟持部と、を備え、前記挟持部が待機位置から挟持位置に移動する際に、前記一対の挟持部の間に配置されたボタンを挟持するボタン付けミシンのボタン保持装置において、
前記待機位置を前記挟持位置方向に調整する調整手段を備えることを特徴とするボタン付けミシンのボタン保持装置。
【請求項２】
前記調整手段は、前記一対のアーム部が離間する際に、互いに当接し且つ当接した際の前記一対のアーム部の距離を調整可能な当接部材を、前記一対のアーム部にそれぞれ備え、前記当接部材により前記アーム部間の距離を調整することにより、前記待機位置を前記挟持位置方向に調整することを特徴とする請求項１に記載のボタン付けミシンのボタン保持装置。
【請求項３】
前記調整手段による調整を行うか否かを切り替える切替手段を備えることを特徴とする請求項１又は２に記載のボタン付けミシンのボタン保持装置。
【発明の詳細な説明】
【技術分野】
【０００１】
本発明は、ボタン付けミシンのボタン保持装置に関する。
【背景技術】
【０００２】
ボタン付けミシンは、ボタン付けを専用に行うミシンである。
従来のボタン付けミシンは、布地に縫い付けるボタンの保持とその解除を切り替え可能とするボタン保持装置と、ボタン保持装置にボタンを供給するボタン供給部を備えている。そして、ボタン保持装置における一対のアーム部の先端にそれぞれ設けられた一対のチャック部（挟持部）が離間して待機位置に移動した際に、ボタン供給部が両チャック部の間にボタンを供給し、その一対のアーム部が互いに近接移動して挟持位置において両チャック部がボタンを挟持することにより、ボタン保持装置がボタンを保持するようになっている（例えば、特許文献１参照。）。
このボタン供給部が、両チャック部の間にボタンを供給する際に、ボタン供給部とアーム部或いはチャック部とが接触しないように、ボタン保持装置の待機位置にある両チャック部間の距離はボタンのサイズ（ボタン径）よりかなり大きい距離に設定されて、チャック部が配置されるようになっている。
【０００３】
このようなボタン付けミシンにおいて、同じ種類の多量のボタンのボタン付けを繰り返し行う過程において、品種の違う少量のボタンのボタン付けを行わなければならない場合がある。その際、少量のボタン付けを行うために、ボタン供給部をその少量のボタンに合わせた設定に切り替えることは煩雑な作業となるため、ボタン供給部は使用せず、作業者が手作業により、ボタンをボタン保持装置に直接供給するということがある。より具体的には、チャック部が離間した状態にあるボタン保持装置に対して、作業者がボタンを手で所持してチャック部の間に位置させておき、チャック部を挟持位置に移動させることによりチャック部がボタンを挟持してボタンがボタン保持装置に供給されることとなる。
【特許文献１】特開２００３−３２６００８号公報
【発明の開示】
【発明が解決しようとする課題】
【０００４】
しかしながら、上記特許文献１の場合、ボタン保持装置の待機位置にある両チャック部間の距離は、ボタンのサイズ（ボタン径）よりかなり大きく設定されているので、作業者は両チャック部の間で目標が定めにくく、特にボタン径が小さい場合にはボタンを容易に両チャック部が挟持する位置に位置させることができないという問題があった。
【０００５】
本発明の目的は、作業者が手作業によりボタンをボタン保持装置に供給する場合に、ボタンを挟持部が挟持する位置に容易に位置させることができるボタン保持装置を提供することである。
【課題を解決するための手段】
【０００６】
以上の課題を解決するため、請求項１記載の発明は、駆動手段に連結されて開閉移動される一対のアーム部と、一対のアーム部の先端にそれぞれ設けられてアーム部の開閉移動に連動してボタンを挟持する挟持位置と挟持位置よりも開いた待機位置とに開閉移動される一対の挟持部と、を備え、挟持部が待機位置から挟持位置に移動する際に、一対の挟持部の間に配置されたボタンを挟持するボタン付けミシンのボタン保持装置において、待機位置を挟持位置方向に調整する調整手段を備えることを特徴とする。
【０００７】
請求項１記載の発明によれば、ボタンをボタン保持装置に手作業で供給する場合に、一対の挟持部がボタンを挟持する挟持位置に近接した位置に待機位置を調整し、その待機位置に両挟持部を待機させることができるので、作業者は両挟持部の位置を目標としてボタンを所持することができ、ボタンを挟持部が挟持する位置に容易に位置させることができる。
【０００８】
請求項２記載の発明は、請求項１に記載のボタン付けミシンのボタン保持装置において、調整手段は、一対のアーム部が離間する際に、互いに当接し且つ当接した際の一対のアーム部の距離を調整可能な当接部材を、一対のアーム部にそれぞれ備え、当接部材によりアーム部間の距離を調整することにより、待機位置を挟持位置方向に調整することを特徴とする。
【０００９】
請求項２記載の発明によれば、請求項１に記載の発明と同様の作用を奏するとともに、ボタン保持装置の調整手段は、一対のアーム部が離間する際に、互いに当接し、且つ当接した際の一対のアーム部間の距離を調整可能な当接部材を一対のアーム部に備えることにより、両アーム部が離間する際のアーム部間の距離を調整し、ボタンを保持する際の両挟持部の位置を、ボタンを挟持する位置に近接させる構成であるので、簡単な構造で調整手段を構成することができる。
【００１０】
請求項３記載の発明は、請求項１又は２に記載のボタン付けミシンのボタン保持装置において、調整手段による調整を行うか否かを切り替える切替手段を備えることを特徴とする。
【００１１】
請求項３記載の発明によれば、請求項１又は２に記載の発明と同様の作用を奏するとともに、ボタン保持装置は、調整手段による調整を行うか否かを切り替える切替手段を備えているので、ボタンを手作業によらず、例えば、ボタン供給部により供給する場合にも容易に対応することができる。
すなわち、手作業によりボタンを供給する場合には調整手段を有効とし、ボタン供給部によりボタンを供給する場合には調整手段を無効とすることにより、ボタンを供給する際の挟持部の位置を、ボタンの供給方法に対応させて適切な位置とすることができる。
【発明の効果】
【００１２】
請求項１記載の発明によれば、ボタンをボタン保持装置に手作業で供給する場合に、一対の挟持部がボタンを挟持する挟持位置に近接した位置に待機位置を調整し、その待機位置に両挟持部を待機させることができるので、作業者は両挟持部の位置を目標としてボタンを所持することができ、ボタンを挟持部が挟持する位置に容易に位置させることができる。
【００１３】
請求項２記載の発明によれば、ボタン保持装置の調整手段は、一対のアーム部が離間する際に、互いに当接し、且つ当接した際の一対のアーム部間の距離を調整可能な当接部材を一対のアーム部に備えることにより、両アーム部が離間する際のアーム部間の距離を調整し、ボタンを保持する際の両挟持部の位置を、ボタンを挟持する位置に近接させる構成であるので、簡単な構造で調整手段を構成することができる。
【００１４】
請求項３記載の発明によれば、ボタン保持装置は、調整手段による調整を行うか否かを切り替える切替手段を備えているので、ボタンを手作業によらず、例えば、ボタン供給部により供給する場合にも容易に対応することができる。すなわち、手作業によりボタンを供給する場合には調整手段を有効とし、ボタン供給部によりボタンを供給する場合には調整手段を無効とすることにより、ボタンを供給する際の挟持部の位置を、ボタンの供給方法に対応させて適切な位置とすることができる。
【発明を実施するための最良の形態】
【００１５】
以下、本発明の実施形態たるボタン付けミシンのボタン保持装置について、図１から図１０に基づいて説明する。
図１は、ボタン付けミシン１００の主要な構成を示す斜視図である。
ボタン付けミシン１００は、上下動する縫い針１１とルーパ（図示省略）の協働により布地にボタンを縫い付けるものである。
ボタン付けミシン１００は、その全体が、その下部に位置するミシンベッド（図示省略）と、ミシンベッドの後方の一端部から上方に立設されたミシン立胴部１０１と、ミシン立胴部１０１の上方からミシンベッドに沿うように延設されたミシンアーム１０２とから構成され、これらからなるその概略的な外形が略コ字状に形成されている。
なお、ボタン付けミシン１００やボタン保持装置１０等の構成を説明するにあたって、後述する縫い針１１が上下動する方向をＺ軸方向（上下方向）とし、これと直交する方向であってミシンアーム１０２の長手方向をＹ軸方向（前後方向）とし、Ｚ軸方向及びＹ軸方向の双方に直交する方向をＸ軸方向（左右方向）とする。
【００１６】
（ミシン）
図１に示すように、ボタン付けミシン１００は、ミシンアーム１０２内に配設される図示しない針上下動機構により上下動される縫い針１１と、ミシンアーム１０２内に配設されて縫い針１１をＸ軸方向に沿って揺動させる図示しない針振り機構と、縫い針１１の針下でボタンＢを保持するボタン保持装置１０と、ボタンＢを縫着する布地を載置する針板１２と、針板１２に載置された布地の下方で力ボタンを保持する図示しない力ボタン保持手段と、針板１２上に載置された布地を保持する布押さえ１３と、縫い針１１の下方であってミシンベッド内において縫い針１１から縫い糸を捕捉してループを形成する図示しないルーパ機構と、すくい縫いを行う際に先端部にボタンＢを縫着すべき布を折曲させる折曲部１４を有する布支持部材１５と、ボタン載置部１６に載置されたボタンＢをボタン保持装置１０に供給するボタン供給機構１７等、を備えている。
なお、ボタン付けミシン１００におけるこれら各部の構成や、ボタン付けを行う動作は、従来周知のものと同様であるので、ここでは詳述しない。
【００１７】
（ボタン保持装置）
次に、ボタン保持装置１０について説明する。
図２は、ボタン保持装置１０の要部構成を示す上方からの斜視図、図３は、ボタン保持装置１０の要部構成を示す下方からの斜視図、図４は、ボタン保持装置１０の要部構成を示す下方からの平面図である。
【００１８】
ボタン保持装置１０は、図１から図４に示すように、ボタン付けミシン１００の内部の本体フレーム（図示省略）にＹ軸方向に往復自在に支持される図示しないベース体と、その基端部をベース体に回動自在に支持されると共にその先端部でボタンＢを保持する第一のリンク体２０と、その一端部を回動自在にベース体に支持されると共に他端部を第一のリンク体２０の中間部に回動自在に連結される第二のリンク体３０と、ベース体をＹ軸方向に沿って往復移動させるＹ軸機構（図示省略）と、第一のリンク体２０をＸ軸方向に沿って往復移動させるＸ軸機構（図示省略）と、第一のリンク体２０の先端部をＺ軸方向に沿って往復移動させるＺ軸機構（図示省略）とを備えている。
さらに、ボタン保持装置１０は、第一のリンク体２０が備える二本のボタン保持アーム２５Ｌ，２５Ｒを介してボタンＢの保持及び解除を行うボタン保持部開閉機構６０と、ボタン保持アーム２５Ｌ，２５Ｒが備えるボタン保持部材２６Ｌ，２６Ｒを介してボタンＢを９０°回転させるボタン起立機構７０Ｌ，７０Ｒ等、を備えている。
また、ボタン保持装置１０は、一対のアーム部である二本のボタン保持アーム２５Ｌ，２５Ｒに、ボタン保持装置１０の調整手段である開き量調整装置１を備えている。
【００１９】
第一のリンク体２０は、図２から図６に示すように、略長方形状の板状体である本体プレート２２と、この本体プレート２２のＸ軸方向両側端部からそれぞれ立設された基端部側連結腕部２１Ｌ，２１Ｒと、その両端部を基端部側連結腕部２１Ｌ，２１Ｒに連結されると共に前述したベース体の滑動部材（図示省略）に貫通状態で支持されるプレート支軸２３と、本体プレート２２の下面側に並んでＹ軸方向に平行に支持された二本のボタン保持アーム２５Ｌ，２５Ｒと、各ボタン保持アーム２５Ｌ，２５Ｒの先端部に設けられた一対の挟持部であるボタン保持部材２６Ｌ，２６Ｒと、を備えている。
なお、上記プレート支軸２３は、滑動部材に回転自在且つ軸方向に沿って摺動自在に支持されている。またプレート支軸２３は、Ｘ軸方向に沿って配設されていることから、プレート支軸２３を中心とする回動による各ボタン保持部材２６Ｌ，２６ＲのＺ軸方向の移動だけでなく、第一のリンク体２０全体をベース体に対してＸ軸方向に沿って往動させることが可能となっている。
【００２０】
また、各ボタン保持アーム２５Ｌ，２５Ｒは、ボタン保持部開閉機構６０を介して本体プレート２２に開閉軸６３により軸支されており、互いの間隔を接離可能となっているが、その詳細は後述する。また、各ボタン保持部材２６Ｌ，２６Ｒは、各ボタン保持アーム２５Ｌ，２５ＲのＹ軸方向先端部において互いに対向して装備されている。そして、これらのボタン保持部材２６Ｌ，２６Ｒの対向部位にはそれぞれボタンＢの外縁部がはまりこむ凹部が形成されており、各ボタン保持アーム２５Ｌ，２５Ｒの接近により各凹部を介してボタンを狭持することを可能としている。さらに各ボタン保持部材２６Ｌ，２６Ｒは、いずれも各ボタン保持アーム２５Ｌ，２５Ｒの先端部においてＸ軸方向に沿った回転軸を介して支持されており、後述するボタン起立機構７０Ｌ，７０Ｒにより回転動作が入力される。
【００２１】
（ボタン保持部開閉機構）
ボタン保持部開閉機構６０を図２から図６に基づいて説明する。
ボタン保持部開閉機構６０は、前述の如く第一のリンク体２０に装備されている。
図５、図６に示すように、このボタン保持部開閉機構６０は、各ボタン保持アーム２５Ｌ，２５Ｒの基端部側を回動可能に本体プレート２２に軸支する開閉軸６３と、開閉軸６３を中心とするように本体プレート２２に形成された円弧の一部である円弧状の長穴部６１Ｌ，６１Ｒと、長穴部６１Ｌを介してボタン保持アーム２５Ｌを支持すると共に長穴部６１Ｌに沿って移動自在のピン６２Ｌと、長穴部６１Ｒを介してボタン保持アーム２５Ｒを支持すると共に長穴部６１Ｒに沿って移動自在のピン６２Ｒと、各ボタン保持アーム２５Ｌ，２５Ｒの間で本体プレート２２にＹ軸方向に沿って往動自在に支持される移動体６５と、移動体６５とボタン保持アーム２５Ｌとの間に設けられるリンク６６Ｌと、移動体６５とボタン保持アーム２５Ｒとの間に設けられるリンク６６Ｒと、Ｙ軸方向に沿った移動力を移動体６５に入力する駆動手段としての開閉用エアシリンダ６８と、を備えている。
【００２２】
長穴部６１Ｌは開閉軸６３を中心とする円弧に沿って長穴を形成し、これにピン６２Ｌが挿通されることにより、ボタン保持アーム２５Ｌは開閉軸６３を中心とする揺動を可能とし、ボタン保持アーム２５Ｌは略Ｙ軸方向に沿った姿勢を維持しつつ略Ｘ軸方向に移動することを可能としている。ボタン保持アーム２５Ｒも同様である。
また、リンク６６Ｌとリンク６６Ｒは同一の長さであると共に、それぞれその一端部が移動体６５に回動自在に連結され、他端部がそれぞれボタン保持アーム２５Ｌ，２５Ｒに回動自在に連結されているので、移動体６５が開閉用エアシリンダ６８によってＹ軸方向に移動されることにより、ボタン保持アーム２５Ｌ，２５Ｒのピン６２Ｌ，６２Ｒが開閉軸６３を中心として、それぞれ長穴部６１Ｌ，６１Ｒに沿って円弧方向に移動する。従って、ボタン保持アーム２５Ｌ，２５Ｒが、それぞれ略Ｘ軸方向に相対的に移動することとなる。
【００２３】
また、開閉用エアシリンダ６８は、複動式であり、出力軸の突出及び縮退の双方を積極的に切り替えることが可能である。従って、ボタン保持部開閉機構６０は、開閉用エアシリンダ６８により移動体６５をＹ軸方向に移動させることにより、開閉用エアシリンダ６８に連結されているボタン保持アーム２５Ｌ，２５Ｒの先端部側が互いに離間したり、互いに近接したりするように開閉移動させることができる。また、各ボタン保持アーム２５Ｌ，２５Ｒの先端部に設けられた各ボタン保持部材２６Ｌ，２６Ｒは、ボタン保持アーム２５Ｌ，２５Ｒの開閉移動に連動して、ボタンＢを挟持する挟持位置と、挟持位置よりも開いた待機位置とに開閉移動されるようになっている。
【００２４】
具体的には、ボタン保持アーム２５Ｌ，２５Ｒと、リンク６６Ｌ，６６Ｒと、開閉軸６３との位置関係が、図５、図６に示す配置である場合には、移動体６５がＹ軸方向前方、つまりボタン保持部材２６Ｌ，２６Ｒ側に近づくように移動するにつれて、図５に示すように、ボタン保持部材２６Ｌ，２６Ｒ同士が接近するようになる。一方、移動体６５がＹ軸方向後方、つまりボタン保持部材２６Ｌ，２６Ｒ側から離れるように移動するにつれて、図６に示すように、ボタン保持部材２６Ｌ，２６Ｒ同士が離間するようになる。
【００２５】
そして、各ボタン保持アーム２５Ｌ，２５Ｒとともに各ボタン保持部材２６Ｌ，２６Ｒが待機位置から挟持位置に移動する際に、ボタン保持部材２６Ｌ，２６Ｒの間に配置されたボタンＢを挟持位置において挟持することができるようになっている。
このように、開閉用エアシリンダ６８は、各ボタン保持アーム２５Ｌ，２５Ｒの接離動作を自在に入力することができるので、各ボタン保持部材２６Ｌ，２６Ｒを介してボタンＢを狭持位置で保持させ、又はその解除を自在に行うことができる。
【００２６】
（ボタン起立機構）
ボタン起立機構７０Ｌ，７０Ｒを図２から図６に基づいて説明する。
ボタン起立機構７０Ｌ，７０Ｒは、それぞれボタン保持アーム２５Ｌ，２５Ｒに装備されており、ボタン保持部開閉機構６０から入力される移動力によりボタン保持アーム２５Ｌ，２５Ｒと共にそれぞれＸ軸方向に移動する。これらボタン起立機構７０Ｌと７０Ｒとは、その中間に位置するＹ−Ｚ平面を基準に面対象となる構造を備えているので、ボタン起立機構７０Ｌについて説明することとする。
【００２７】
かかるボタン起立機構７０Ｌは、その一端部をボタン保持部材２６Ｌの回転軸と連結された出力リンク７２Ｌと、その一端部をボタン保持アーム２５Ｌの途中に回転自在に連結された入力リンク７１Ｌと、出力リンク７２Ｌの他端部にその一端部が回転自在に連結されると共に入力リンク７１Ｌの他端部とその他端部とが回転自在に連結された伝達リンク７３Ｌと、入力リンク７１Ｌに回転力を入力する起立用エアシリンダ７４Ｌと、ボタンＢが水平状態（ボタンの穴がある平面がＸ−Ｙ平面に沿った状態）から起立した状態（ボタンの穴がある平面がＸ−Ｚ平面に沿った状態）に向けて回転したときにそれ以上の出力リンク７２Ｌの回動を規制する起立用ストッパ７５Ｌと、を備えている。
【００２８】
上記各リンク７１Ｌ，７２Ｌ，７３Ｌは、いずれもその両端部の回転軸がＸ軸方向に沿っており、これにより四節リンク機構を構成している。一方、起立用エアシリンダ７４Ｌは、その出力軸先端部が入力リンク７１Ｌの中間部に設けられた長手方向に沿った長穴に挿通される回転軸を介して入力リンク７１Ｌに連結されているので、当該出力軸の直線的な往動が円滑に入力リンク７１Ｌの回転力として入力される。入力リンク７１Ｌの先端部と出力リンク７２Ｌの先端部とは伝達リンク７３Ｌにより均一距離が維持されるので、入力リンク７１Ｌに回転力が入力されると、出力リンク７２Ｌにも回転力が入力されることとなる。
また、起立用エアシリンダ７４Ｌは、複動式であり、出力軸の突出及び縮退の双方を積極的に切り替えることが可能である。即ち、図４の状態において、起立用エアシリンダ７４Ｌの出力軸が縮退すると、出力リンク７２Ｌは時計方向に回転して起立用ストッパ７５Ｌに当接して止まり、かかる状態から起立用エアシリンダ７４Ｌの出力軸が突出すると、出力リンク７２Ｌは反時計方向に回転し、起立用エアシリンダ７４Ｌのストロークエンドにて停止する。
なお、ボタン起立機構７０Ｒも同様に動作する。
【００２９】
（第二のリンク体）
第二のリンク体３０は、図２、図３に示すように、変形Ｕ字状に形成されており、Ｕ字の上端部に相当する位置（第二のリンク体３０の両端部）で、第一のリンク体２０のＸ軸方向両側面であってＹ軸方向中間部にそれぞれ回転自在に連結されている。また、Ｕ字の下端部に相当する位置で図示しないベース体のＹ軸方向先端部にベース体支軸３１を介して回動自在に連結されている。第一のリンク体３０の第一のリンク体２０に対する二つの回動軸線は、同一線上であっていずれもＸ軸方向に平行に向けられている。また、第二のリンク体３０をベース体に連結するベース体支軸３１は、図２、図３に示すように、やはりＸ軸方向に向けられていると共にベース体に対して回転自在且つ軸方向に沿って摺動自在となっている。従って、第一のリンク体２０がＸ軸機構によりＸ軸方向に往動した場合に、第二のリンク体３０は第一のリンク体２０と共に往動することが可能となっている。
【００３０】
（開き量調整装置）
次に、開き量調整装置１について説明する。
開き量調整装置１は、図１、図２、図４および図７から図１０に示すように、一方のアーム部であるボタン保持アーム２５Ｌに支持部材４を介して備えられる当接部材としての第１の規制部材２と、他方のアーム部であるボタン保持アーム２５Ｒに固定部材５を介して備えられる当接部材としての第２の規制部材３等により構成されている。
そして、開き量調整装置１は、ボタン保持アーム２５Ｌ，２５Ｒが開閉移動することに伴い、ボタン保持アーム２５Ｌ，２５Ｒが開くように離間して移動する際に、その移動を規制することにより、各ボタン保持アーム２５Ｌ，２５Ｒの先端部に設けられた各ボタン保持部材２６Ｌ，２６Ｒ間の距離を調整して待機位置を挟持位置方向に調整するようになっている。
【００３１】
図７に示すように、支持部材４は、切替手段の一部として機能する切替突起４ａと、ばね係止突起４ｂとを有するとともに、ねじなどによりボタン保持アーム２５Ｌにおけるボタン保持アーム２５Ｒに対向する面に固定されており、第１の規制部材２は、その支持部材４に切替手段の一部として機能する支持ネジ４ｃにより回動可能に軸支されている。
第１の規制部材２が支持部材４に軸支されて取り付けられる取付部２ｃには、切替手段の一部として機能する切替用長穴２ｄが形成されており、その切替用長穴２ｄに支持部材４の切替突起４ａが挿入するようになっている。
また、第１の規制部材２は、取付部２ｃからボタン保持アーム２５Ｒに向かって延出する延出部２ｂと、延出部２ｂの先端部が折曲されるように、第２の規制部材３に向かって突出する第１の突出部２ａとを有している。
そして、延出部２ｂに形成されたばね穴２ｅと、支持部材４のばね係止突起４ｂに掛け渡すように、コイルばね６が取り付けられている。
【００３２】
図７に示すように、固定部材５は、ねじなどによりボタン保持アーム２５Ｒにおけるボタン保持アーム２５Ｌに対向する面に固定されており、ボタン保持アーム２５Ｌに向かって延在している。固定部材５には、ボタン保持アーム２５Ｌとボタン保持アーム２５Ｒとが離間する方向である、Ｘ軸方向に沿った調整用長穴５ａが形成されており、この調整用長穴５ａに挿通されるボルト７により、第２の規制部材３が、固定部材５に固定されている。
第２の規制部材３は、Ｘ軸方向に延在する延出部３ｂと、延出部３ｂの先端部が折曲されるように、第１の規制部材２に向かって突出する第２の突出部３ａとを有している。
【００３３】
図７、図８に示される開き量調整装置１は、第１の規制部材２が、図８中、時計方向に回転した配置であり、図７中、Ｙ軸方向ボタン保持部材２６Ｌ，２６Ｒ側に引き出された配置である第１ポジションを示すものである。
つまり、図８に示す向きにおいて、第１の規制部材２を、ボタン保持アーム２５Ｌとボタン保持アーム２５Ｒとが離間する方向と交差する方向に、支持ネジ４ｃを軸心として時計回りに回動させると、コイルばね６が一旦伸びるとともに再び縮み、コイルばね６が縮んだ状態で第１の規制部材２の切替用長穴２ｄの一端に切替突起４ａが当接し、図７、８に示す第１ポジションに、第１の規制部材２が配置される。
【００３４】
この開き量調整装置１の第１ポジションは、第１の規制部材２と第２の規制部材３とが、ボタン保持アーム２５Ｌとボタン保持アーム２５Ｒが離間する方向（略Ｘ軸方向）と交差する向きに対向しているとともに、ボタン保持アーム２５Ｒに向かって延在する第１の規制部材２の第１の突出部２ａが、ボタン保持アーム２５Ｌに向かって延在する第２の規制部材３の先端側の第２の突出部３ａよりボタン保持アーム２５Ｌ側に位置し、ボタン保持アーム２５Ｌに向かって延在する第２の規制部材３の第２の突出部３ａが、ボタン保持アーム２５Ｒに向かって延在する第１の規制部材２の先端側の第１の突出部２ａよりボタン保持アーム２５Ｒ側に位置する状態であり、第１の突出部２ａと第２の突出部３ａとが、Ｘ軸方向に対して対向している状態である。そして、ボタン保持アーム２５Ｌとボタン保持アーム２５Ｒが互いに離間する方向（略Ｘ軸方向）に移動した場合に、第１の突出部２ａと第２の突出部３ａとが当接する配置である。
つまり、所定の動作により、ボタン保持アーム２５Ｌとボタン保持アーム２５Ｒが互いに離間する方向に移動し、ボタン保持部材２６Ｌとボタン保持部材２６Ｒとの間が開くように、ボタン保持部材２６Ｌとボタン保持部材２６Ｒが挟持位置から待機位置に移動する際に、開き量調整装置１の第１の突出部２ａと第２の突出部３ａとが当接することにより、ボタン保持アーム２５Ｌとボタン保持アーム２５Ｒが移動することを規制し、ボタン保持アーム２５Ｌとボタン保持アーム２５Ｒと間の距離を調整することにより、ボタン保持部材２６Ｌとボタン保持部材２６Ｒとの間の開き量（距離）を調整し、保持されるボタンが挟持される際に両ボタン保持部材２６Ｌ，２６Ｒの挟持位置に近接した位置（規制位置）を待機位置とするようにして両ボタン保持部材２６Ｌ，２６Ｒを待機させることができるようになっている。
【００３５】
特に、第２の規制部材３を固定部材５に固定する位置を、ボタン保持アーム２５Ｌとボタン保持アーム２５Ｒとが離間する方向に沿うように、固定部材５の調整用長穴５ａに沿って移動させることによって、第１ポジションにおける第１の突出部２ａと第２の突出部３ａとの距離を調整し、ボタン保持アーム２５Ｌとボタン保持アーム２５Ｒや、ボタン保持部材２６Ｌとボタン保持部材２６Ｒが離間する開き量（距離）を調整することができる。
なお、第１の突出部２ａと第２の突出部３ａとを近接させるように、第２の規制部材３の配置を調整すると、ボタン保持部材２６Ｌとボタン保持部材２６Ｒとの間の開き量を狭くするように調整することができ、また、第１の突出部２ａと第２の突出部３ａとを離間させるように、第２の規制部材３の配置を調整すると、ボタン保持部材２６Ｌとボタン保持部材２６Ｒとの間の開き量を広くするように調整することができる。
【００３６】
そして、作業者が手作業でボタンＢをボタン保持装置１０に供給する際、そのボタンＢのサイズ（ボタン径）に応じて、第２の規制部材３を固定部材５に固定する位置を調整することにより、両ボタン保持部材２６Ｌ，２６Ｒを、当該両ボタン保持部材がボタンを保持（挟持）する保持位置（挟持位置）に近接した位置（待機位置）に位置させることができ、ボタン保持部材２６Ｌとボタン保持部材２６Ｒとの間にボタンＢを位置合わせしやすくなり、より確実に手作業によりボタンＢをボタン保持部材２６Ｌ，２６Ｒに挟持させることができるようになる。
【００３７】
また、図９、図１０に示される開き量調整装置１は、第１の規制部材２が、図１０中、反時計方向に回転した配置であり、図９中、Ｙ軸方向ボタン保持部材２６Ｌ，２６Ｒの反対側（奥側）に押し込まれた配置である第２ポジションを示すものである。
つまり、図１０に示す向きにおいて、第１の規制部材２を、ボタン保持アーム２５Ｌとボタン保持アーム２５Ｒとが離間する方向と交差する方向に、支持ネジ４ｃを軸心として反時計回りに回動させると、コイルばね６が一旦伸びるとともに再び縮み、コイルばね６が縮んだ状態で第１の規制部材２の切替用長穴２ｄの他端に切替突起４ａが当接し、図９、１０に示す第２ポジションに、第１の規制部材２が配置される。
【００３８】
この開き量調整装置１の第２ポジションは、第１の突出部２ａと第２の突出部３ａとが、Ｘ軸方向に対してずれている状態であり、ボタン保持アーム２５Ｌとボタン保持アーム２５Ｒが互いに離間する方向（略Ｘ軸方向）に移動した場合に、第１の突出部２ａと第２の突出部３ａとは当接することができない配置である。
つまり、所定の動作により、ボタン保持アーム２５Ｌとボタン保持アーム２５Ｒが互いに離間する方向に移動し、ボタン保持部材２６Ｌとボタン保持部材２６Ｒとの間を開く際に、開き量調整装置１の第１の突出部２ａと第２の突出部３ａとは当接しないので、ボタン保持アーム２５Ｌとボタン保持アーム２５Ｒが移動することが規制されず、ボタン保持部材２６Ｌとボタン保持部材２６Ｒとの間の開き量は、開閉用エアシリンダ６８のストローク長に応じた、最大の開き量（距離）となる。
【００３９】
そして、この開き量調整装置１の第２ポジションが、ボタン付けミシン１００のボタン保持装置１０の開き量調整装置１における通常の配置であり、ボタン保持アーム２５Ｌとボタン保持アーム２５Ｒや、ボタン保持部材２６Ｌとボタン保持部材２６Ｒが離間する開き量を最大とすることで、ボタン保持アーム２５Ｌ，２５Ｒやボタン保持部材２６Ｌ，２６Ｒと、ボタン供給機構１７（ボタン載置部１６）とが接触しないようにし、ボタン供給機構１７により、ボタン保持装置１０にボタンＢを安定して供給するための配置である。
【００４０】
このように、本発明のボタン保持装置の開き量調整装置１によれば、開き量調整装置１の第１の規制部材２の配置を切替手段を介して第１ポジションと第２のポジションとに切り替えることにより、所定の動作により、ボタン保持アーム２５Ｌとボタン保持アーム２５Ｒが互いに離間する方向に移動し、ボタン保持部材２６Ｌとボタン保持部材２６Ｒとの間を開く際に、開き量調整装置１の第１の突出部２ａと第２の突出部３ａとが当接することにより、ボタン保持アーム２５Ｌとボタン保持アーム２５Ｒが移動することを規制し、ボタン保持部材２６Ｌとボタン保持部材２６Ｒとの間の開き量を調整することと、開き量調整装置１の第１の突出部２ａと第２の突出部３ａとを当接させないことにより、ボタン保持アーム２５Ｌとボタン保持アーム２５Ｒが移動することが規制せず、ボタン保持部材２６Ｌとボタン保持部材２６Ｒとの間の開き量を調整しない、所定の最大の開き量とすることを切り替えることができる。
【００４１】
つまり、作業者が手作業でボタンＢをボタン保持装置１０に供給する場合に、開き量調整装置１の第１の規制部材２の第１の突出部２ａと、第２の規制部材の第２の突出部３ａとが当接することにより、ボタン保持アーム２５Ｌとボタン保持アーム２５Ｒが移動することを規制し、第１の突出部２ａと第２の突出部３ａとの距離に応じて、ボタン保持アーム２５Ｌとボタン保持アーム２５Ｒや、ボタン保持部材２６Ｌとボタン保持部材２６Ｒが離間する開き量を調整することと、ボタン供給機構１７により、ボタン保持装置１０にボタンＢを供給する場合に、第１の突出部２ａと第２の突出部３ａとが当接しないことにより、ボタン保持部材２６Ｌとボタン保持部材２６Ｒとの間の開き量を調整しないことを切り替えることができる。
特に、開き量調整装置１の第１の規制部材２の配置を、支持ネジ４ｃを軸心とする回動の各両端側にワンタッチで切り替えることにより、ボタン保持アーム２５Ｌとボタン保持アーム２５Ｒや、ボタン保持部材２６Ｌとボタン保持部材２６Ｒが離間する開き量を調整することと、調整しないこととを切り替えることができる。
【００４２】
また、第２の規制部材３を固定部材５に固定する位置を、固定部材５の調整用長穴５ａに沿って切り替えることによって、第１ポジションにおける第１の突出部２ａと第２の突出部３ａとの距離を調整し、ボタン保持アーム２５Ｌとボタン保持アーム２５Ｒや、ボタン保持部材２６Ｌとボタン保持部材２６Ｒが離間する開き量を調整することができる。
つまり、作業者が手作業でボタンＢをボタン保持装置１０に供給する際に、そのボタンＢのサイズ（ボタン径）に応じて、第１の突出部２ａと第２の突出部３ａとの距離を調整することにより、所定の動作により開く、ボタン保持部材２６Ｌとボタン保持部材２６Ｒとの開き量を、ボタン径に応じた開き量に調整することができ、ボタン保持部材２６Ｌとボタン保持部材２６Ｒとの間にボタンＢを位置合わせしやすくなり、より確実に手作業によりボタンＢをボタン保持部材２６Ｌ，２６Ｒに挟持させることができるようになる。
【００４３】
なお、以上の実施の形態においては、開き量調整装置１をボタン付けミシン１００のボタン保持アーム２５Ｌ，２５Ｒに備える構成について説明したが、本発明はこれに限定されるものではなく、開き量調整装置が、ボタン付けミシン１００のボタン保持部開閉機構６０における開閉用エアシリンダ６８の出力軸の移動を規制するようにし、出力軸の突出量や縮退量を調整するように、そのストローク量を調整することにより、ボタン保持アーム２５Ｌとボタン保持アーム２５Ｒや、ボタン保持部材２６Ｌとボタン保持部材２６Ｒの間の開き量を調整するようにしてもよい。
また、ボタン付けミシン１００における任意の位置に、ボタン保持アーム２５Ｌ，２５Ｒが開く移動を規制する開き量調整装置を備えるようにしてもよい。
【００４４】
また、開閉用エアシリンダ６８の代わりに、パルスモータを用いて、制御手段がボタン保持部材２６Ｌ，２６Ｒの待機位置を、ボタン保持部材２６Ｌ，２６Ｒがボタンを挟持する挟持位置方向に近接した位置に自動的に調整するようにパルスモータを制御する構成としてもよい。
【００４５】
また、その他、具体的な細部構造等についても適宜に変更可能であることは勿論である。
【図面の簡単な説明】
【００４６】
【図１】本発明の実施形態であるボタン付けミシンの斜視図である。
【図２】本発明の実施形態であるボタン保持装置の上部斜視図である。
【図３】本発明の実施形態であるボタン保持装置の下部斜視図である。
【図４】本発明の実施形態であるボタン保持装置の下部平面図である
【図５】ボタン保持装置の第一のリンク体を示す模式図であり、上面図（Ａ）と、下面図（Ｂ）である。
【図６】ボタン保持装置の第一のリンク体を示す模式図であり、上面図（Ａ）と、下面図（Ｂ）である。
【図７】本発明にかかるボタン保持装置の開き量調整装置を示す斜視図であり、第１ポジションを示すものである。
【図８】本発明にかかるボタン保持装置の開き量調整装置を示す側面図であり、第１ポジションを示すものである。
【図９】本発明にかかるボタン保持装置の開き量調整装置を示す斜視図であり、第２ポジションを示すものである。
【図１０】本発明にかかるボタン保持装置の開き量調整装置を示す側面図であり、第２ポジションを示すものである。
【符号の説明】
【００４７】
１      開き量調整装置（調整手段）
２      第１の規制部材（当接部材）
２ａ    第１の突出部
２ｂ    延出部
２ｄ    切替用長穴（切替手段）
３      第２の規制部材（当接部材）
３ａ    第２の突出部
３ｂ    延出部
４      支持部材
４ａ    切替突起（切替手段）
４ｃ    支持ピン（切替手段）
５      固定部材
５ａ    調整用長穴
１０    ボタン保持装置
１１    縫い針
２０    第一のリンク体
２５Ｌ、２５Ｒ  ボタン保持アーム（アーム部）
２６Ｌ、２６Ｒ  ボタン保持部材（挟持部）
６０    ボタン保持部開閉機構
６５    移動体
６６Ｌ、６６Ｒ  リンク
６８    開閉用エアシリンダ（駆動手段）
７０Ｌ、７０Ｒ  ボタン起立機構
１００  ボタン付けミシン
【図１】
2006068303.tif 000003
【図２】
2006068303.tif 000004
【図３】
2006068303.tif 000005
【図４】
2006068303.tif 000006
【図５】
2006068303.tif 000007
【図６】
2006068303.tif 000008
【図７】
2006068303.tif 000009
【図８】
2006068303.tif 000010
【図９】
2006068303.tif 000011
【図１０】
2006068303.tif 000012